(57)【要約】【課題】ストリーマ装置において、シャーシにかしめて固定することが困難であるような狭いスペースの箇所にフランジ付きガイドポールを設けることを可能とする構造を実現することとを目的とする。【解決手段】ガイドポールモジュール８０は、ブラケット部材８１の垂直板部８３に、フランジ付きガイドポール７０が板ばね部材９０によって取り付けてある構成である。このガイドポールモジュール８０が、その水平板部８２をシャーシ５５上にねじ止めされており、フランジ付きガイドポール７０がキャプスタン５３の近くの狭いスペースの箇所に設けてある。【選択図】  図１
2007323701.tif 000002
【特許請求の範囲】
【請求項１】
磁気テープが、テープカセットの外に引き出され回転ドラム装置に巻き付けられた所定のテープパスをシャーシの上側に形成し、ピンチローラとキャプスタンとによって駆動されて前記テープパスに沿って走行する構成の磁気テープ記録再生装置において、
前記磁気テープを案内するガイドポールが、水平板部と垂直板部とを有するブラケット部材の該垂直板部に取り付けてあり、
且つ、前記ブラケット部材が、その水平板部を前記シャーシに固定されて取り付けてある構成としたことを特徴とする磁気テープ記録再生装置。
【請求項２】
請求項１に記載の磁気テープ記録再生装置において、
前記ガイドポールは、ポール本体部と、この両端のフランジ部と、該フランジ部より外側の突き出ており両端に存在する突き出支部とを有するフランジ付きガイドポールであり、
前記ブラケット部材の前記垂直板部には、板ばね部材が固定してあり、
前記フランジ付きガイドポールは、前記板ばね部材によって両端の前記突き出し部を押さえられて前記垂直板部に取り付けてある構成としたことを特徴とする磁気テープ記録再生装置。
【請求項３】
請求項２に記載の磁気テープ記録再生装置において、
前記ブラケット部材は、前記垂直板部の一部に折り曲げて形成してある折曲げ片を有し、
前記ガイドポールは、前記ポール本体部が前記折曲げ片に当たっており、且つ、各フランジ部の対向する面を前記折曲げ片の上下の縁部に係止されている構成としたことを特徴とする磁気テープ記録再生装置。
【請求項４】
請求項１に記載の磁気テープ記録再生装置において、
前記ブラケット部材の水平板部は、複数のねじ止め箇所を、前記垂直板部の基部より離れた箇所であって且つ互いに離れた箇所に有する構成としたことを特徴とする磁気テープ記録再生装置。
【請求項５】
請求項１乃至４のうち何れか一項に記載の磁気テープ記録再生装置において、
前記ブラケット部材が、前記シャーシのうち前記キャプスタンの近くに取り付けてあり、
前記ブラケット部材の前記垂直板部に、フック部を有する補強部材が取り付けてあり、
前記ブラケット部材が前記シャーシに固定されて取り付けられた状態で、前記補強部材の前記フック部が前記キャプスタンを覆うハウジングに係止してある構成としたことを特徴とする磁気テープ記録再生装置。
【発明の詳細な説明】
【技術分野】
【０００１】
本発明は磁気テープ記録再生装置に係り、特に、磁気テープが、テープカセットの外に引き出され回転ドラム装置に巻き付けられた所定のテープパスを形成し、ピンチローラとキャプスタンとによって駆動されて前記のテープパスに沿って走行する構成の磁気テープ記録再生装置に関する。
【背景技術】
【０００２】
磁気テープ記録再生装置においては、複数のガイドポールが配置してある。ガイドポールは、ガイドポール本体と、上下のフランジとよりなる構成である。磁気テープはそのテープパスの途中の複数の箇所で、ガイドポールに巻き付いて平面上の位置を規制され、且つ、磁気テープがガイドポールに巻き付きながら走行する過程で、磁気テープの上下縁がフランジに当たって、磁気テープの高さ位置が規制されている。このように、磁気テープは、そのテープパスの途中の複数の箇所で、フランジ付きガイドポールによって、平面上の位置及び高さ位置を規制されつつ走行される。
【０００３】
従来の磁気テープ記録再生装置におけるガイドポールの固定の一般的な構造は、ガイドポールの基部をシャーシにかしめて固定してある構造である。
【特許文献１】特開２００３−３１７３４９号公報
【発明の開示】
【発明が解決しようとする課題】
【０００４】
近年の磁気テープ記録再生装置は小型化が進んでおり、場合によっては、フランジ付きガイドポールが必要とされる場所に、フランジ付きガイドポールの基部をシャーシ等にかしめて固定するだけのスペースが無いこともある。
【０００５】
このような状況では、フランジ付きガイドポールの基部をシャーシ等にかしめて固定する構造とは異なる固定構造を考案する必要がある。
【０００６】
そこで、本発明は、上記課題を解決した磁気テープ記録再生装置を提供することを目的とする。
【課題を解決するための手段】
【０００７】
そこで、上記課題を解決するため、本発明は、磁気テープが、テープカセットの外に引き出され回転ドラム装置に巻き付けられた所定のテープパスをシャーシの上側に形成し、ピンチローラとキャプスタンとによって駆動されて前記テープパスに沿って走行する構成の磁気テープ記録再生装置において、
前記磁気テープを案内するガイドポール（７０）が、水平板部（８２）と垂直板部（８３）とを有するブラケット部材（８１）の該垂直板部（８３）に取り付けてあり、
且つ、前記ブラケット部材（８１）が、その水平板部（８２）を前記シャーシ（５５）に固定されて取り付けてある構成としたことを特徴とする。
【０００８】
なお、上記参照符号は、あくまでも参考であり、これによって、本願発明が図示の態様に限定されるものではない。
【発明の効果】
【０００９】
本発明によれば、ガイドポールがブラケット部材に取り付けてあり、このブラケット部材がシャーシに固定されて取り付けてある構成であるため、例えば、狭くスペースが無くて、ガイドポールをシャーシに直接にかしめて固定することが困難である箇所にも、ガイドポールを設けることが可能となる。
【発明を実施するための最良の形態】
【００１０】
次に本発明の実施の形態について説明する。
【実施例１】
【００１１】
図１は本発明の実施例１になるストリーマ装置１０をガイドポールモジュールが取り付けてある部分を見易い状態で示す。Ｘ１−Ｘ２は幅方向、Ｙ１−Ｙ２は奥行き方向、Ｚ１−Ｚ２は高さ方向である。図２は磁気テープのローディングが完了して磁気テープがガイドされている状態を示す。図３は磁気テープカセット２０が装着されたときの状態、図４は磁気テープのローディングが完了して情報の記録再生が行われているときの状態を示す。
【００１２】
ストリーマ装置１０は、記録媒体として磁気テープを使用して、コンピュータの外部記憶装置として用いられるものであり、回転ドラム装置３０と、テープローディング機構４０、キャプスタン５０、ピンチローラ５１等を有する構成である。回転ドラム装置３０は、下側の固定ドラムと、回転ヘッドが取り付けてある上側の回転ドラムとよりなる構成である。テープローディング機構４０は、複数のポールと、これらのポールを移動させる機構とよりなる構成である。５５はシャーシである。
【００１３】
ストリーマ装置１０には磁気テープカセット２０が図３に示すように装着される。磁気テープカセット２０が装着されると、テープローディング機構４０が動作して、ポール４１〜４５が移動を開始し、磁気テープ２１をカセット２０より外に引き出す。ポール４１〜４５が移動して最終位置に到ると、ストリーマ装置１０は図４に示す状態となり、磁気テープ２１はポール４２とポール４３との間で回転ドラム装置３０に角度約１８０度に亘って斜めに巻き付けられる。カセット２０の供給側磁気テープ巻回体２２より出た磁気テープ２１は、ポール６０、フランジ付きポール４１、フランジ付きポール４２に案内され、フランジ付きポール４２とフランジ付きポール４３との間で回転ドラム装置３０に巻き付けられ、次いで、フランジ付きポール４４に案内され、ここで方向を変えられて磁気テープカセット２０に向かうようにされ、途中で、ポール６１に案内され、続いて、キャプスタン５０とピンチローラ５１とに挟まれ、続いて、フランジ付きガイドポール７０に案内され、続いて、ポール４５に案内され、カセット２０の巻取側磁気テープ巻回体２３に到るテープパス２５を形成する。テープパス２５はシャーシ５５の上側に形成される。
【００１４】
磁気テープ２１はキャプスタン５０とピンチローラ５１とによって駆動されて、矢印２６の方向に走行され、回転ドラム装置３０の箇所で回転ヘッドが回転ドラム装置３２の周面に巻き付いている磁気テープ２１を斜めに走査して情報の記録再生が行われる。
【００１５】
［ガイドポールモジュール８０の構造］
次に、フランジ付きガイドポール７０を設置する構造について説明する。
【００１６】
図５及び図６はガイドポールモジュール８０を示し、図７はガイドポールモジュール８０のシャーシ５５上への取り付け状態を拡大して示す。図５はガイドポールモジュール８０をこれを分解して示す図と併せて示す。図６（Ａ），（Ｂ），（Ｃ）はガイドポールモジュール８０を異なる方向より見て示す。図６（Ｄ）はフランジ付きガイドポール７０の受けの状態を拡大して示す。
【００１７】
ガイドポールモジュール８０は、ブラケット部材８１と、板ばね部材９０と、補強部材１００と、フランジ付きガイドポール７０とを有し、フランジ付きガイドポール７０が板ばね部材９０によってブラケット部材８１に取り付けてあり、且つ、補強部材１００がブラケット部材８１に取り付けてある構成である。
【００１８】
ガイドポールモジュール８０については、ストリーマ装置１０へ取り付けた向き、姿勢としたガイドポールモジュール８０に対して、図３及び図４に付されている方向を示すＸ１−Ｘ２、Ｙ１−Ｙ２、Ｚ１−Ｚ２を付してある。図８に示すように、ガイドポールモジュール８０は、垂直板部８３がＸ１−Ｘ２方向に略一致した向きでシャーシ５５上に取り付けてある。そこで、ガイドポールモジュール８０については、Ｘ１−Ｘ２は垂直板部８３と略一致した方向である。
【００１９】
フランジ付きガイドポール７０は、図７（Ａ）に併せて示すように、ポール部材７１の両端側に、フランジ部材７２，７３が圧入してある構成である。７１ａ、７１ｂは突き出し部であり、ポール部材７１のうちフランジ部材７２，７３より外側の部分である。７１ａはポール本体部であり、ポール７１部材のうちフランジ部材７２，７３の間の部分である。なお、フランジ付きガイドポール７０に代えて、図７（Ｂ）に示すように、ポール部材７１とフランジ部材７２，７３とが一体に成形されたフランジ付きガイドポール７０Ａでもよい。
【００２０】
ブラケット部材８１は、水平の板部８２と、折り曲げて形成してある垂直の板部８３とを有する。
【００２１】
垂直板部８３は、そのＸ２側に切り欠き部８４を有し、切り欠き部８４の奥部に、Ｙ２方向に折り曲げて形成された折り曲げ片８５を有する。また、垂直板部８３は、切り欠き部８４によって相対的に形成された腕部８６，８７を有する。
【００２２】
折り曲げ片８５は、ポール本体部７１ｃを受ける役割を有する。折り曲げ片８５の上縁部８５ａ及び下縁部８５ｂａは、夫々フランジ部材７２，７３の高さ位置を決定する役割を有する。切り欠き部８４のうち上側部及び下側部は夫々フランジ部材７２，７３を受け入れる役割を有する。腕部８６，８７は、夫々突き出し部７１ａ、７１ｂを受ける役割を有する。図６（Ｄ）に示すように、Ｚ１側から見ると、折り曲げ片８５と腕部８６，８７とは直交する関係にある。
【００２３】
また、垂直板部８３には、２つの穴８３ａ，８３ｂが形成してある。
【００２４】
水平板部８２は、図６（Ｂ）に示すように、垂直板部８３の基部から張り出しており、キャプスタンハウジング部５２と干渉しない形状であり、且つ、Ｚ１方向から見て、ねじ止め用の箇所が、垂直板部８３の基部から離れた箇所であって三箇所に設けられた構成である。三箇所は垂直板部８３に対してＸ２側の位置とＸ１側の位置とＹ１側の位置である。キャプスタンハウジング部５２は、キャプスタンモータ５３のハウジング５４のうちキャプスタン５１の部分を支持する部分であり、略円筒形状を有する。
【００２５】
水平板部８２は、垂直板部８３の基部に沿ってＸ１−Ｘ２方向に延在しており且つ垂直板部８３の基部よりＸ２方向に突き出ているＩ形状部８２ａと、Ｉ形状部８３ａのＸ１端よりＹ１方向に延びているＴ形状部８２ｂとよりなる。Ｔ形状部８２ｂは、脚部８２ｃと、腕部８２ｄとよりなる。腕部８２ｄは、略Ｘ１方向に延びているＸ１腕部８２ｅと略Ｘ２方向に延びているＸ２腕部８２ｆとを有する。Ｉ形状部８２ａと脚部８２ｃとＸ２腕部８２ｆとが逆Ｃ字形状となり、この内側の部分にキャプスタンハウジング部を受け入れる湾部８２ｇが形成してある。Ｉ形状部８２ａのＸ２端にねじ止め穴８２ｈが形成してあり、Ｘ１腕部８２ｅの先端にねじ止め穴８２ｉが形成してあり、Ｘ２腕部８２ｆの先端にＵ字状ねじ止め凹部８２ｊが形成してある。ねじ止め穴８２ｈ、８２ｉ、Ｕ字状ねじ止め凹部８２ｊは、共に垂直板部８３の基部より離れた箇所に且つ互いに離れて位置しており、Ｚ１側から見て、大略、垂直板部８３の基部を延在した線を底辺とする三角形２００の各頂点に対応する位置に配置してある。
【００２６】
図５に示すように、板ばね部材９０は、二つの穴９１，９２と二つの板ばね腕部９３，９４とを有する。穴９１，９２は、バーリング加工されており、円筒形状の張り出し部９５，９６を有する。板ばね腕部９３，９４は共にＶ字形状となっている。
【００２７】
図５に示すように、補強部材１００は、ブラケット部材８１の垂直板部８３が変形しないように補強するためのものであり、ブラケット部材８１に嵌合される二つの突起部１０１，１０２と、キャプスタンハウジング部５２を係止するフック部１０３とを有する。
【００２８】
ガイドポールモジュール８０を組み立てるには、先ず、板ばね部材９０をその張り出し部９５，９６を穴８３ａ，８３ｂに嵌合させ穴８３ａ，８３ｂを貫通して突き出ている張り出し部９５，９６の先端の部分をかしめることによってブラケット部材８１の垂直板部８３のＹ２側の面に固定する。図５中に拡大して示す断面は、張り出し部９５がかしめてある状態を示す。符号９５ａはかしめた部分を示す。板ばね部材９０が固定されたブラケット部材８１に対して、フランジ付きガイドポール７０と補強部材１００とを取り付ける。
【００２９】
フランジ付きガイドポール７０は、板ばね腕部９３，９４を垂直板部８３から離すように撓ませ、突き出し部７１ａ、７１ｂを板ばね腕部９３，９４の内側に嵌合させることによって、垂直板部８３に取り付けられる。突き出し部７１ａ、７１ｂは、板ばね腕部９３，９４によって押さえつけられて腕部８６，８７に押し付けられた状態となる。ポール本体部７１ｃは折り曲げ片８５に押し付けられた状態となる。フランジ付きガイドポール７０は、Ｚ１側から見て直交する関係にある腕部８６，８７と折り曲げ片８５とが形成するコーナ部に押し込まれるようにして位置を規制される。補強部材１００は、その突起部１０１，１０２を穴９１，９２に嵌合させて係止することによって垂直板部８３のＹ１側の面に取り付けられる。
【００３０】
フランジ付きガイドポール７０は、図５及び図６に示すように、フランジ部材７２の下面を折り曲げ片８５の上縁部８５ａに係止され、フランジ部材７３の上面を折り曲げ片８５の下縁部８５ｂａに係止されて、即ち、フランジ部材７２，７３の対向している面を折り曲げ片８５に係止されている。ここで、フランジ部材７３は、プレス加工部品であり、折り曲げ片８５自体の寸法精度、折り曲げ片８５の水平板部８２に対する位置の精度は共に高い。よって、フランジ付きガイドポール７０は、水平板部８２に対するＺ方向の高さ位置Ｈ１（図６（Ｃ）参照）を高い精度で定められている。図６（Ｃ）中、７１ｃｃはポール本体部７１ｃの高さ方向の中心である。また、フランジ付きガイドポール７０は、ポール本体部７１ｃが折り曲げ片８５に当接し、突き出し部７１ａ、７１ｂが腕部８６，８７に当接しており、水平板部８２に対して垂直の姿勢に精度良く定められている。
【００３１】
なお、上記のガイドポールモジュール８０において、フランジ付きガイドポール７０の取り付けにはねじ等を使用していず、固定された板ばね部材９０が垂直板部８３のＹ２側の面よりＹ２方向に突き出ている寸法は僅かであり、フランジ付きガイドポール７０は垂直板部８３からのＹ２方向への突き出し寸法を短くされて垂直板部８３に取り付けてある。よって、フランジ付きガイドポール７０を後述するようにストリーマ装置１０の狭い空間に設けることが可能となる。
【００３２】
［ガイドポールモジュール８０の取り付け］
上記のガイドポールモジュール８０は、図１及び図８（Ａ）に示すように、フランジ付きガイドポール７０がキャプスタンハウジング部５２とポール４５との間の狭い空間よりＸ２側に少し突き出た状態で、ストリーマ装置１０に取り付けてある。
【００３３】
具体的には、水平板部８２を、そのＩ形状部８２ａと脚部８２ｃとＸ２腕部８２ｆとがキャプスタンハウジング部５２の根元の部分を囲むようにしてシャーシ５５上に載せ、ねじ止め穴８２ｈ、８２ｉ、Ｕ字状ねじ止め凹部８２ｊをシャーシ５５のねじ孔の位置に合わせ、ねじ１１０、１１１，１１２を締めることによってストリーマ装置１０に取り付けてある。即ち、ガイドポールモジュール８０は、ブラケット部材８１の水平板部８２の互いに離れている三箇所をねじ１１０、１１１，１１２によってねじ止めされて、キャプスタンハウジング部５２と干渉しないで取り付けてある。
【００３４】
ここで、ねじ止めの箇所は、Ｚ１方向から見て、フランジ付きガイドポール７０の真下の位置からずれている箇所であり、ねじ止めのためのスペースが十分に確保される箇所であり、ねじ止めは支障無くなされる。
【００３５】
また、補強部材１００のフック部１０３がキャプスタンハウジング部５２を係止している。
【００３６】
ここで、ガイドポールモジュール８０自体において、フランジ付きガイドポール７０の水平板部８２よりの高さ位置及び水平板部８２に対する垂直度が共に精度良く定まっており、且つ、ガイドポールモジュール８０はブラケット部材８１の水平板部８２がシャーシ５５上に固定されているため、フランジ付きガイドポール７０のシャーシ５５よりの高さ位置Ｈ２（図６（Ｃ）参照）及びシャーシ５５に対する垂直度が共に精度良く定まる。
【００３７】
よって、図２、図７（Ａ）、図８（Ｂ）に示すように、磁気テープ２１はポール本体部７１ｃに巻き付いて且つフランジ部材７２，７３によって磁気テープ２１の上縁部２１ａ及び下縁部２１ｂを案内されて、高さ位置を規制されつつ走行される。
【００３８】
ここで、磁気テープ２１は、図８（Ｂ）に示すように、ポール本体部７１ｃに巻き付きつつ上縁部及び下縁部がフランジ部材７２，７３に接触するため、磁気テープ２１が上下方向の力を作用された場合の磁気テープ２１の上縁部及び下縁部の損傷の程度は少ない。
【００３９】
また、磁気テープ２１のテンションがフランジ付きガイドポール７０を押す方向はＸ１の方向である。フランジ付きガイドポール７０のＸ１側には、垂直板部８３が存在している。よって、フランジ付きガイドポール７０はポール本体部７１ｃを垂直板部８３に押し付けられて変位を制限され、最初の位置で垂直姿勢を維持し、磁気テープ２１を正常に案内する。
【００４０】
なお、本発明はストリーマ装置以外の磁気テープを使用した記録再生装置にも適用可能である。また、本発明はフランジ無しのガイドポールにも適用が可能である。また、特許請求の範囲に記載の「シャーシ」は、メインのシャーシ、及びメインシャーシ上のサブシャーシの双方を包含するものである。
【００４１】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【図面の簡単な説明】
【００４２】
【図１】本発明の実施例１になるストリーマ装置をそのガイドポールモジュールが取り付けてある部分を見易い状態で示す斜視図である。
【図２】磁気テープのローディングが完了して磁気テープがガイドされている状態を示す斜視図である。
【図３】本発明の実施例１になるストリーマ装置の磁気テープカセットが装着されたときの状態を示す平面図である。
【図４】本発明の実施例１になるストリーマ装置の磁気テープのローディングが完了して情報の記録再生が行われているときの状態を示す平面図である。
【図５】ガイドポールモジュールをこれを分解して示す図と併せて示す斜視図である。
【図６】ガイドポールモジュールを異なる方向から見て示す図である。
【図７】フランジ付きガイドポールを示す図である。
【図８】ガイドポールモジュールのストリーマ装置への取り付け状態を拡大して示す平面図である。
【符号の説明】
【００４３】
１０  ストリーマ装置
２０  磁気テープカセット
２１  磁気テープ
３０  回転ドラム装置
４０  テープローディング機構
４２，４３、４４  ポール
５０  キャプスタン
５１  ピンチローラ
５５  シャーシ
７０  フランジ付きガイドポール
７１  ポール部材
７２，７３  フランジ部材
８０  ガイドポールモジュール
８１  ブラケット部材
８２  水平板部
８２ｈ、８２ｉ  ねじ止め穴
８２ｊ  Ｕ字状ねじ止め凹部
８３  垂直板部
８４  切り欠き部
８５  折り曲げ片
８５，８７  腕部
９０  板ばね部材
９１，９２  穴
９３，９４  板ばね腕部
９５，９６  張り出し部
１００  補強部材
１１０、１１１，１１２  ねじ
【図１】
2007323701.tif 000003
【図２】
2007323701.tif 000004
【図３】
2007323701.tif 000005
【図４】
2007323701.tif 000006
【図５】
2007323701.tif 000007
【図６】
2007323701.tif 000008
【図７】
2007323701.tif 000009
【図８】
2007323701.tif 000010